(57)【要約】【課題】風船を利用したオーディオ装置を提供する。【解決手段】この風船オーディオ装置１０は、音声プレーヤーに接続可能な音声信号増幅装置１と、該音声信号増幅装置１で増幅された音声信号を出力する音声信号／振動変換装置２と、該音声信号／振動変換装置２に着脱可能に接合される風船３と、使用時において前記音声信号増幅装置１と前記音声信号／振動変換装置２とを少なくとも収容する箱体４と、外部の音声プレーヤーと箱体４内の音声信号増幅装置１とを接続する音声プレーヤー接続手段５とを備え、前記箱体４の上面に孔４ｃが設けられ、この孔４ｃを通して前記音声信号／振動変換装置２が、前記箱体４の上面に載置される前記風船３と接合されるように構成されている。【選択図】図１
0003185838.tif 000002
【実用新案登録請求の範囲】
【請求項１】
音声プレーヤーに接続可能な音声信号増幅装置と、該音声信号増幅装置で増幅された音声信号を出力する音声信号／振動変換装置と、該音声信号／振動変換装置に着脱可能に接合される風船と、使用時において前記音声信号増幅装置と前記音声信号／振動変換装置とを少なくとも収容する箱体と、外部の音声プレーヤーと箱体内の音声信号増幅装置とを接続する音声プレーヤー接続手段とを備え、前記箱体の上面に孔が設けられ、この孔を通して前記音声信号／振動変換装置が、前記箱体の上面に載置される前記風船と接合されるように構成されていることを特徴とする風船オーディオ装置。
【請求項２】
前記風船は、複数枚の合成樹脂フィルムの周縁部どうしを接合すると共に、周縁の１箇所にフィルム製のバルブを装着して構成され、膨らませた状態で動物を模した形状となる風船本体と、該風船本体の下端面に接合された、動物の足を模した形状のシートからなる脚部とを有し、前記音声信号／振動変換装置は、前記箱体の上面の孔を通して、前記脚部の間に位置する風船本体の下端面に接合されている請求項１記載の風船オーディオ装置。
【請求項３】
前記風船が複数種類備えられ、前記風船と前記音声信号／振動変換装置を接合する両面粘着シートが設けられている請求項１又は２記載の風船オーディオ装置。
【請求項４】
前記箱体は、前記風船を載置するのに充分な剛性を有する紙箱からなり、前記箱体の上面は、箱体の蓋をなしている請求項１〜３のいずれか１つに記載の風船オーディオ装置。
【請求項５】
レコードプレーヤーにレコード盤を載せた模様が前記箱体の上面に記載されており、前記箱体の上面の孔は、前記レコード盤の中心の孔をなして、前記箱体の上面のほぼ中央に配置されている請求項１〜４のいずれか１つに記載の風船オーディオ装置。
【考案の詳細な説明】
【技術分野】
【０００１】
本考案は、風船を箱体の上面に載置して、その箱体に収容した音声信号／振動変換装置から出力される、任意の音声信号から変換された振動を、その風船に共鳴させて周囲に響く音声として出力できるようにした風船オーディオ装置に関する。
【背景技術】
【０００２】
従来、携帯音楽プレーヤーなどのイヤホン端子に接続して音声信号を入手し、その音声信号を音に変換する小型スピーカーを対象物に張り付けて、その対象物を振動させて大型スピーカーの替わりにして、旅先のホテルなどでイヤホンやヘッドホンなしに音楽を楽しむことができる、携帯用オーディオアクセサリが知られている。
【０００３】
一方、風船は、特に子供にとって、昔から変わらず人気の高い玩具であり、これを音声の出力媒体として用いて音声出力玩具や音声スピーカーなどとすることも、従来、行なわれてきた。例えば、特許文献１（特開２００６−１６７３５４公報）には、音声ＩＣチップ、制御回路基板などの制御手段が収容されたグリップ部と、グリップ部の端部から延び、制御手段からの配線の一部を収容した細長筒状の連結部材と、連結部材のグリップ部とは別の端部に接合され、配線の端部に設けられた拡声器（小型スピーカー）が取り付けられる、風船からなる気体収納体とを備え、屋内外を問わず持ち運び可能な音声出力玩具が記載されている。また、特許文献２（実開平１−５９３９３号公報）には、紙、及びゴム又は薄いプラスチックシートで作られたフィルム状薄膜風船状物質の一部に音の振動が伝達する共鳴板と発音体を密着させ、発音物体と共鳴板に音の振動を伝達させる電気的増巾装置を結合させ、電気的増巾装置より発音体と共鳴板に音の振動を送り、紙又はプラスチックシートで作られたフィルム状薄膜風船物質をスピーカーとして使用する風船スピーカーが記載されている。
【先行技術文献】
【特許文献】
【０００４】
【特許文献１】特開２００６−１６７３５４公報
【特許文献２】実開平１−５９３９３号公報
【考案の概要】
【考案が解決しようとする課題】
【０００５】
しかし、上記特許文献１に記載の音声出力玩具では、音声ＩＣチップがグリップ部に組み込まれているので、携帯音楽プレーヤーなどを外付けして好きな音楽を楽しむことができない。また、グリップ部の端部から延び、制御手段から連通する配線の一部を収容した細長筒状の連結部材の他方の端部に、風船が接着剤等で接合した構造を採用しているので、その風船をしぼませて片づけたり、別の風船に取り換えたりすることができない。
【０００６】
また、上記特許文献２に記載の風船スピーカーでは、発音物体となる風船に密着させた共鳴板、共鳴板に音の振動を伝達させる電気的増巾装置、それらをつなぐ配線などがむき出しで、見た目が悪い。また、自立しないので、使用者は配線部分を天井につるしたり、風船に空気より軽い気体を充填して浮揚のバランスをとったりするなどして使用しなければならず、煩わしい。
【０００７】
したがって、本考案の目的は、使用時には、風船を空気等で膨らませて紙等でできた箱体の上面に載置するだけで、通常のオーディオ装置のように携帯音楽プレーヤーなどを外付けして好きな音楽を楽しむことができ、外観上それらの風船と箱体のみが外部に露出してすっきりとした外観を呈して、一方で、製品梱包時や使用しないときには、風船を含めたすべての部材をその箱体に収容可能であり、梱包や収納の利便性も兼ね備えた、風船オーディオ装置を提供することにある。
【課題を解決するための手段】
【０００８】
上記目的を達成するため、本考案は、音声プレーヤーに接続可能な音声信号増幅装置と、該音声信号増幅装置で増幅された音声信号を出力する音声信号／振動変換装置と、該音声信号／振動変換装置に着脱可能に接合される風船と、使用時において前記音声信号増幅装置と前記音声信号／振動変換装置とを少なくとも収容する箱体と、外部の音声プレーヤーと箱体内の音声信号増幅装置とを接続する音声プレーヤー接続手段とを備え、前記箱体の上面に孔が設けられ、この孔を通して前記音声信号／振動変換装置が、前記箱体の上面に載置される前記風船と接合されるように構成されていることを特徴とする風船オーディオ装置を提供するものである。
【０００９】
本考案によれば、製品梱包時には、風船をしぼませた状態にして、箱体に音声信号増幅装置と、音声信号／振動変換装置と、風船とを収容して梱包状態にすることができ、製品使用時には、風船を膨らませて、音声信号／振動変換装置と風船とを、箱体上面の孔を通して接合し、音声信号増幅装置と音声信号／振動変換装置とを箱体内に収容すると共に、風船を箱体の上面に載置してセットすることができる。そして、ユーザーが所有する任意の音声プレーヤーを、音声プレーヤー接続手段を介して、箱体内の音声信号増幅装置に接続することによって、音声プレーヤーからの音声信号を音声信号増幅装置により増幅し、音声信号／振動変換装置によって振動として出力させ、その振動を風船によって共鳴させて、周囲に響く音声として取り出すことができる。
【００１０】
このように、箱体に載置した風船をスピーカーとして音声を発生することができると共に、音声信号／振動変換装置や、該音声信号／振動変換装置は、箱体内に収容されて外部から見えないので、ディスプレイ効果のあるスピーカーを提供することができる。また、ユーザーが所有する任意の音声プレーヤーを接続して、好きな音楽等を楽しむことができる。更に、風船を取り替えるだけで、スピーカーのデザインを変えて楽しむことができ、風船の形状や大きさによって、音質も手軽に変えることが可能である。
【００１１】
本考案においては、前記風船は、複数枚の合成樹脂フィルムの周縁部どうしを接合すると共に、周縁の１箇所にフィルム製のバルブを装着して構成され、膨らませた状態で動物を模した形状となる風船本体と、該風船本体の下端面に接合された、動物の足を模した形状のシートからなる脚部とを有し、前記音声信号／振動変換装置は、前記箱体の上面の孔を通して、前記脚部の間に位置する風船本体の下端面に接合されていることが好ましい。
【００１２】
上記態様によれば、脚部によって風船本体を安定して支持することができ、脚部の間に位置する風船本体の下端面に音声信号／振動変換装置を接合することによって、音声信号／振動変換装置の振動が、風船本体に安定して伝わるようにすることができる。
【００１３】
本考案においては、前記風船が複数種類備えられ、前記風船と前記音声信号／振動変換装置を接合する両面粘着シートが設けられていることが好ましい。
【００１４】
上記態様によれば、風船が複数種類備えられ、両面粘着シートを介して、風船と音声信号／振動変換装置とを着脱可能に接合できるので、風船を取り替えることによって、ディスプレイのデザインを手軽に変更することができると共に、風船の形状が変わることによって音質も変わるため、いろいろな音声効果を楽しむことができる。
【００１５】
本考案においては、前記箱体は、前記風船を載置するのに充分な剛性を有する紙箱からなり、前記箱体の上面は、箱体の蓋をなしていることが好ましい。
【００１６】
上記態様によれば、上面の孔を通して、箱体内に収容される音声信号／振動変換装置と、箱体の上面に載置される風船とを接合する際、上面をなす蓋体を開いた状態で作業ができるので、作業性を良好にすることができる。また、紙箱の蓋体をなす上面に風船が載置されることによって、風船が適度に振動しやすくなるので、音響効果を高めることができる。
【００１７】
本考案においては、レコードプレーヤーにレコード盤を載せた模様が前記箱体の上面に記載されており、前記箱体の上面の孔は、前記レコード盤の中心の孔をなして、前記箱体の上面のほぼ中央に配置されていることが好ましい。
【００１８】
上記態様によれば、箱体内に収容される音声信号／振動変換装置と、箱体の上面に載置される風船とを接合するための孔を、箱体上面のほぼ中央に配置することができると共に、その孔をレコード盤の中心の孔と模して、レコードプレーヤーにレコード盤を載せた模様を記載することができるので、風船を箱体の上面の中央に載置して安定支持すると共に音響効果を高め、デザイン効果も高めることができる。
【考案の効果】
【００１９】
本考案の風船オーディオ装置によれば、紙等でできた箱体の上面に孔が設けられ、この孔を通して音声信号／振動変換装置が、その箱体の上面に載置される風船と接合されるように構成されているので、使用時には、風船を空気等で膨らませてその箱体の上面に載置するだけで、通常のオーディオ装置のように携帯音楽プレーヤーなどを外付けして好きな音楽を楽しむことができ、外観上それらの風船と箱体のみが外部に露出してすっきりとした外観を呈して、一方で、製品梱包時や使用しないときには、風船を含めたすべての部材をその箱体に収容可能であり、梱包や収納の利便性も兼ね備えている。
【図面の簡単な説明】
【００２０】
【図１】第１実施形態による風船オーディオ装置のセッティング途中の状態を説明する斜視図である。
【図２】同風船オーディオ装置のセッティング終了後の状態を説明する部分断面側面図である。
【図３】同風船オーディオ装置の使用状態を説明する部分分解斜視図である。
【図４】同風船オーディオ装置の使用状態を示す斜視図である。
【図５】第２実施形態による風船オーディオ装置の使用状態を示す斜視図である。
【考案を実施するための形態】
【００２１】
以下、図面に基づいて本考案の一実施形態を説明する。
［第１実施形態］
図１に示すように、この風船オーディオ装置１０は、携帯音楽プレーヤーなどの音声プレーヤー３０に接続可能な音声信号増幅装置１と、音声信号増幅装置１で増幅された音声信号を出力する音声信号／振動変換装置２と、音声信号／振動変換装置２に着脱可能に接合される風船３と、使用時において音声信号増幅装置１と音声信号／振動変換装置２とを少なくとも収容する箱体４と、外部の音声プレーヤー３０と箱体４内の音声信号増幅装置１とを接続する音声プレーヤー接続手段５とを備えている。
【００２２】
図１、２に示すように、この実施形態においては、上記音声プレーヤー接続手段５は、一端に音声プレーヤー３０のイヤホン端子３０ａに差し込まれるイヤホンプラグ５ａが形成され、他端に音声信号増幅装置１の入力端子１ａ（図２参照）に差し込まれる入力プラグ５ｂが形成され、それらのイヤホンプラグ５ａと入力プラグ５ｂと、それらをつなぐ音声信号導入用コード５ｃとから構成されている。
【００２３】
また、上記音声信号増幅装置１は、いわゆるアンプと言われるものであり、上からみたときに略四角形状の薄型平型形状であり、その一側壁には、上記入力プラグ５ｂが差し込まれる入力端子１ａが形成されており、それに対向する他の一側壁には、増幅した音声信号を出力するための出力端子１ｂが形成されている。ただし、音声信号増幅装置１の形状等は、特に限定されるものではなく、例えば、箱体内に設置された基板上に搭載された電子回路部品で構成されていてもよい。
【００２４】
更に、上記音声信号／振動変換装置２は、音声信号増幅装置１で増幅された音声信号に対応して振動する平型形状の振動板を内部に包接保持し、上からみたときに略小判形状の薄型平型形状である振動板保持部２ａ（いわゆる小型スピーカー）と、その振動板保持部２ａの一側面から延出された増幅音声信号導入用コード２ｂと、その増幅音声信号導入用コード２ｂの先端に形成された入力プラグ２ｃとからなり、振動板保持部２ａの上面には前記振動板の少なくとも一部を外部に露出するように開口部２ｄが形成され、その開口部２ｄ周縁には、振動板保持部２ａの上面より一段高い上面を有する環状の土手部２ｅが形成されている。そして、振動板保持部２ａの一側面から延出された増幅音声信号導入用コード２ｂは、コードリール２ｆを介して音声信号増幅装置１側に延び、その先端に形成された入力プラグ２ｃが音声信号増幅装置１の出力端子１ｂに差し込まれるようになっている。
【００２５】
なお、上記音声プレーヤー接続手段５は、上記図１に示す形態に限らない。例えば、音声プレーヤー接続手段５の音声信号増幅装置１側に入力プラグ５ｂを形成せず、音声信号増幅装置１と一体となってその側壁から音声信号導入用コード５ｃが延出し、音声プレーヤー３０側の一端に、イヤホンプラグ５ａのみを形成して、これを音声プレーヤー３０のイヤホン端子３０ａに接続するようにしてもよい。また、音声信号増幅装置１と一体となってその側壁から第２の音声信号導入用コードを延出し、その第２の音声信号導入用コードの音声プレーヤー３０側の一端に、音声信号増幅装置１の入力端子１ａを構成するソケットを形成して、後述する箱体４の側壁に設けられた挿通孔４ｄに備えつけて、そのソケット形状の入力端子１ａに、上記音声プレーヤー接続手段５の、音声信号増幅装置１側に形成された入力プラグ５ｂを差し込んで接続するようにしてもよい。
【００２６】
また、この実施形態の箱体４は、所定の剛性を有する紙箱からなり、音声信号増幅装置１や音声信号／振動変換装置２などを収容することができる収容部４ａと、その上面をなす蓋体４ｂとからなり、蓋体４ｂの中央部には孔４ｃが設けられ、この孔４ｃを通して、音声信号／振動変換装置２の、振動板を内部に包接保持した振動板保持部２ａの部分が、箱体４の上面に載置される風船３と接合されるようになっている。また、箱体４内の音声信号増幅装置１に接続した音声プレーヤー接続手段５は、箱体４の側壁に設けられた挿通孔４ｄを通して、外部の音声プレーヤー３０に接続されるようになっている。
【００２７】
また、この実施形態の風船３は、風船本体３ａと、風船本体３ａに取り付けられた気体注入用のバルブ３ｂとで主に構成されている。
【００２８】
このような形態の風船３は、例えば、風船本体３ａとして気体不透過性のシートを２枚重ね合わせ、所定形状に裁断して、バルブ３bの溶着部を残して周縁部を熱溶着し、次いでバルブ３ｂを上記溶着されていない部分に挿入して、風船本体３ａを構成するシートと一緒に溶着することにより形成することができる。このようにすることで、空気等の気体をバルブ３ｂから注入し易く、また、膨らませた状態で動物の形状に摸し易い。この実施形態では、ペンギンを模した形状である。また、風船本体３ａの下端面には、動物の足を模した形状のシートからなる脚部３ｃ，３ｃが接合されている。
【００２９】
シートとしては、好ましくは合成樹脂で構成された合成樹脂フィルムが用いられるが、塩化ビニル樹脂等の合成樹脂シートを用いることもできる。合成樹脂フィルムの材質としては、ポリエチレン、ポリアミド、ポリエチレンテレフタレート、ポリプロピレン、ポリビニルアルコール、エチレンビニルアルコール共重合体等が挙げられる。合成樹脂フィルムには、金属や無機酸化物による蒸着層が形成されていてもよく、金属箔がラミネートされていてもよい。合成樹脂フィルムの好ましい一例としては、熱融着可能な材質で構成されたヒートシール層と、気体不透過性の材質で構成されたガスバリア層を含み、少なくとも内面側がヒートシール層で構成された積層フィルムが挙げられる。ヒートシール層の材質は、ポリエチレン、ポリプロピレン等が例示できる。ガスバリア層の材質は、ポリアミド、エチレン−ビニルアルコール共重合体樹脂、ポリエチレンテレフタレート等の気体不透過性の合成樹脂フィルムや、合成樹脂フィルム上に形成した金属や無機酸化物の蒸着層や、合成樹脂フィルム上に積層した金属箔などが挙げられ、特に、ポリアミドフィルムや、エチレン−ビニルアルコール共重合体樹脂フィルムや、それらの金属蒸着フィルムが好ましく採用される。また、風船本体３ａを形成するためのシートの材質と、バルブ３bを形成するためのシートの材質とは、同種あるいは同一の材質であることが好ましい。
【００３０】
図１では、風船３が膨らんだ状態が示されている。気体注入は、バルブ３ｂにストロー７を差し込んでヒトの呼気により行ってもよく、公知の注入具を用いてもよい。また、注入気体としては空気などが挙げられる。ヘリウムガスなど空気より軽い気体を注入することもできる。風船３をしぼませて、片づけたいときには、バルブ３ｂにストロー７を差し込んで、そのストロー７を介して十分に気体を抜いて、風船３を折畳むことができる。
【００３１】
図１には、第１実施形態による風船オーディオ装置のセッティング途中の状態が図示されている。箱体４の蓋体４ｂを開け、収容部４ａの底面に、音声信号増幅装置１と音声信号／振動変換装置２とを載置する。音声信号／振動変換装置２の入力プラグ２ｃを音声信号増幅装置１の出力端子１ｂに差し込み、更に、音声信号増幅装置１の入力端子１ａには、音声プレーヤー接続手段５の入力プラグ５ｂを差し込み、その他端のイヤホンプラグ５ａ側は、箱体４の側壁に設けられた挿通孔４ｄを通して、箱体４の外部に出ている。なおこの実施形態では、図１に示すように、音声信号／振動変換装置２と風船３とを接合するための、両面粘着シート６が収容されている。
【００３２】
図１の状態で、音声信号／振動変換装置２の振動板保持部２ａを、蓋体４ｂの孔４ｃに整合させて、振動板保持部２ａの上面より一段高い上面を有する環状の土手部２ｅを、その上面が蓋体４ｂの上面から突出すように、孔４ｃに挿通する。一方、風船３の風船本体３ａの下端面の、脚部３ｃ，３ｃの間には、孔４ｃをカバーできる大きさの、図示しない接合面が形成されているので、その接合面を、上記環状の土手部２ｅの、蓋体４ｂの上面から突出した上面に接合する。この接合は、粘着力を有する粘着手段で行なえばよく、例えば、この実施形態では、前述した両面粘着シート６が用いられるが、環状の土手部２ｅに塗布された粘着剤を介して風船本体３ａの下端面に接合することもできる。
【００３３】
本考案においては、音声信号／振動変換装置２と風船３とを、その両面に粘着剤が付され、所定の厚さを有する可撓性の樹脂シートからなる両面粘着シート６により接合することが好ましい。その厚さは０．３〜３ｍｍが好ましく、０．５〜１．５ｍｍがより好ましい。これによれば、音声信号／振動変換装置２の振動板の振動を、より効率的に風船３に伝えて、より品質の高い音声を再生することができる。また、粘着剤は、貼付したりはがしたり、再利用できるものが好ましい。これによれば、両面粘着シート６を１枚準備するだけで、風船を畳んで片づけたりした後でも繰り返しセッティングして、音楽等を楽しむことができる。
【００３４】
そして、音声信号／振動変換装置２の振動板保持部２ａと風船３とを、蓋体４ｂを挟んで接合した状態で、蓋体４ｂを閉じることによって、図２，図４に示される状態となる。このとき、音声信号／振動変換装置２の振動板保持部２ａは、音声信号／振動変換装置２と風船３とを接合する接合手段の、その粘着力によって、箱体４の蓋体４ｂの裏面周縁に保持された状態を保つ。また、動物を模した形状の風船３は、その風船本体３ａ自体のバランスと、更に、風船本体３ａの下端面に接合された脚部３ｃ，３ｃが補助して、立位した状態を保つ。
【００３５】
図２，図４に示す状態で、音声プレーヤー３０のスイッチを入れて、所望の音楽等の音声信号をイヤホンプラグ５ａから導入すると、その音声信号が音声信号増幅装置１で増幅されて音声信号／振動変換装置２に伝わる。音声信号／振動変換装置２では、音声信号に対応してその振動板保持部２ａに包接された振動板が振動する。そして、その振動が、振動板保持部２ａに形成された開口部２ｄを介して風船に伝わって、周囲に響く音声として、再生される。
【００３６】
図３の部分分解斜視図には、箱体４の上面のデザインが表われている。この実施形態では、箱体４の上面にレコードプレーヤーのような絵柄が付されているので、あたかもレコード盤を載置するかの如く、レコード盤のかわりに動物を模した形状の風船３を載置して、あたかもそのレコードプレーヤーから奏でられる音楽のように、音楽を楽しむことができる。
［第２実施形態］
図５に示すように、この風船オーディオ装置２０では、第１実施形態における風船３が、ペンギンではなく、ウサギを模した形状となっている。このように、風船を取り替えることによって、ディスプレイのデザインを手軽に変更することができる。また、風船の形状が変わることによって音質も変わるため、いろいろな音声効果を楽しむことができる。
【００３７】
なお、このウサギには、目、鼻等が付されていないが、別途、目や鼻等をデザインしたシールを添付して、そのシールを好きな場所に貼ることにより、ユーザーの好みに応じたデザインの風船を作ることができるようにしてもよい。
【符号の説明】
【００３８】
１  音声信号増幅装置
１ａ  入力端子
１ｂ  出力端子
２  音声信号／振動変換装置
２ａ  振動板保持部
２ｂ  増幅音声信号導入用コード
２ｃ  出力プラグ
２ｄ  開口部
２ｅ  環状の土手部
２ｆ  コードリール
３  風船
３ａ  風船本体
３ｂ  バルブ
３ｃ，３ｃ  脚部
４  箱体
４ａ  収容部
４ｂ  蓋体
４ｃ  孔
４ｄ  挿通孔
５  音声プレーヤー接続手段
５ａ  イヤホンプラグ
５ｂ  入力プラグ
５ｃ  音声信号導入用コード
６  両面粘着シート
７  ストロー
１０、２０  風船オーディオ装置
３０  音声プレーヤー
３０ａ  イヤホン端子
【図１】
0003185838.tif 000003
【図２】
0003185838.tif 000004
【図３】
0003185838.tif 000005
【図４】
0003185838.tif 000006
【図５】
0003185838.tif 000007